(57)【要約】【課題】  本発明は、簡単な装置で、寒冷地において、外気温度が低い場合にも浄化槽本体内の汚水を確実に保温、加熱することのでき、浄化能力が低下しない浄化槽を提供する。【解決手段】  浄化槽本体と、浄化槽本体の上壁開口部に着脱自在に取着されてなる、ポリウレタン発泡体、ポリエチレン発泡体、ポリプロピレン発泡体、ガラスウール等の断熱性蓋体と、浄化槽本体に接続されている汚水注入管と放流管よりなり、放流管は放流方向が下方になるように浄化槽本体に接続され、放流管外周にバンドヒータ等の加熱装置が設置されていることを特徴とする浄化槽であって、加熱装置には温度制御装置が接続されているのが好ましく、放流管は末端部がトラップ構造になっているのが好ましい。【選択図】  図１
2005111405.tif 000002
【特許請求の範囲】
【請求項１】
浄化槽本体と、浄化槽本体の上壁開口部に着脱自在に取着されてなる断熱性蓋体と、浄化槽本体に接続されている汚水注入管と放流管よりなり、放流管は放流方向が下方になるように浄化槽本体に接続され、放流管外周に加熱装置が設置されていることを特徴とする浄化槽。
【発明の詳細な説明】
【技術分野】
【０００１】
本発明は、浄化槽に係り、特に接触曝気方式により浄化を行い、冬期等の低温状態における微生物活動の低下による汚水浄化力の低下を防止するようにした浄化槽に関する。
【背景技術】
【０００２】
従来、汚水の処理には活性汚泥を利用して汚水を浄化する、所謂、生物化学的曝気法が盛んに利用されているが、生物化学的曝気法では好気性処理を行うため、好気性生物（微生物）の活動する条件を整える必要があり、特に、浄化槽内を流れる汚水の水温は生物活動のための重要な因子である。
【０００３】
活性汚泥を形成している微生物の活動は１０℃以下になると低下してしまい、浄化能力が低下する。従って、寒冷地における晩秋から早春においては浄化槽内部の温度が低下してしまい、浄化能力が低下するという問題があった。
【０００４】
そのため、浄化槽内部の温度の低下を防止する方法が種々提案されている。例えば、浄化槽本体と、この浄化槽本体のマンホールに取り付けられたマンホール枠と、このマンホール枠に着脱自在に嵌合されるマンホール蓋からなり、マンホール蓋の裏面に、マンホール枠の内周面と密封可能な断熱材を貼着したことを特徴とする汚水浄化槽（例えば、特許文献１参照。）が提案されている。
【特許文献１】特開平８―３３７２９４号公報
【０００５】
しかしながら、上記汚水浄化槽においては、雪解け水や冷気が浄化槽本体に浸入することは防止できるが、長期間寒冷地に設置されていると、浄化槽本体が冷却され浄化槽本体内の汚水が冷却されてしまう。従って、処理量の少ない（処理頻度の少ない）浄化槽においては、特に、汚水が冷却されてしまい、処理能力が低下するという欠点があった。
【０００６】
又、異なる方法として、接触曝気槽内に充填された接触材表面に形成された生物性汚泥によって汚水の浄化を行う汚水浄化槽において、前記接触曝気槽内にブロアーから導かれた散気管経路上に加熱手段を設け、該加熱手段によって加熱された空気を少なくとも前記接触曝気槽内に供給して前記接触曝気槽内の汚水温度を上昇させるようにしたことを特徴とする汚水浄化槽（例えば、特許文献２参照。）が提案されている。
【特許文献２】特開平１０―１９２８７５号公報
【０００７】
しかしながら、上記浄化槽はブロアーから導かれた散気管経路上に加熱手段を設けるのであるから、装置が複雑でコストが高くなり、曝気しない小型の浄化槽には適用できなかった。又、放流管が浄化槽本体に接続されている場合は、汚水流入管の位置が放流管の位置より高いので、散気管からの空気が流入管から排出され、放流管から冷気が逆流して、浄化槽本体内が冷却されることがあった。
【発明の開示】
【発明が解決しようとする課題】
【０００８】
本発明は、上記従来技術の課題に鑑みてなされたものであり、簡単な装置で、寒冷地において、外気温度が低い場合にも浄化槽本体内の汚水を確実に保温、加熱することのでき、浄化能力が低下しない浄化槽を提供することを目的とする。
【課題を解決するための手段】
【０００９】
本発明の浄化槽は、浄化槽本体と、浄化槽本体の上壁開口部に着脱自在に取着されてなる断熱性蓋体と、浄化槽本体に接続されている汚水注入管と放流管よりなり、放流管は放流方向が下方になるように浄化槽本体に接続され、放流管外周に加熱装置が設置されていることを特徴とする。
【発明の効果】
【００１０】
本発明の浄化槽の構成は上述の通りであり、装置は簡単であり、小型の浄化槽にも適用できる。寒冷地において、外気温度が低い場合にも、蓋本体からの放熱を防ぐことができる。
【００１１】
又、放流管は浄化槽本体に接続されている側が高くなっているので、加熱装置で加熱された空気は放流管を伝わって浄化槽本体内に移動し、浄化槽本体内の汚水を確実に保温、加熱することができる。従って、寒冷地において、外気温度が低い場合にも、浄化槽本体内の汚水の浄化能力は低下しない。
【発明を実施するための最良の形態】
【００１２】
以下、本発明の実施例を図面を参照して説明するが、下記実施例に限定されるものではない。
【実施例】
【００１３】
図１は本発明の浄化槽の一例を示す模式図である。図中１は浄化槽本体であり、浄化槽本体１の上壁開口部１１、１１に断熱性蓋体２、２が着脱自在に取着されている。
【００１４】
断熱性蓋体２は、断熱性を有し、上壁開口部１１に着脱自在に取着されるものであればよく、例えば、ポリウレタン発泡体、ポリエチレン発泡体、ポリプロピレン発泡体、ガラスウール等の断熱材で形成されてもよいし、合成樹脂、金属、木材等で製造された蓋の一面又は両面に前記断熱材が積層されてもよい。
【００１５】
又、断熱性蓋体２と上壁開口部１１の隙間から水や外気が浄化槽本体内に浸入しないように、断熱性蓋体２は上壁開口部１１に密着するのが好ましく、断熱性蓋体２の上壁開口部１１に接する位置に上記断熱材であって柔軟性を有する断熱材が積層されていてもよい。
【００１６】
図中３は、浄化槽本体１の側壁に接続された汚水流入管であり、汚水が自重により浄化槽本体１に流入できるように、汚水流入管３と浄化槽本体１の接続部が低く流入側が高くなるように接続されている。
【００１７】
図中４は、浄化槽本体１の側壁に接続された放流管であり、処理された汚水が自重により浄化槽本体１から排出できるように、放流管４と浄化槽本体１の接続部が高く放流方向が下方になるように接続されている。
【００１８】
又、放流管４の接続部近傍の外周に加熱装置５が設置されている。加熱装置５としては、放流管４の外周から加熱できる装置であれば、従来公知の任意のものが使用可能であり、例えば、温水配管、温気配管、パネルヒータ、バンドヒータ等が挙げられ、放流管４を加工することなく、外周に巻きつけるだけで密着して設置することのできるバンドヒータが好ましい。
【００１９】
又、加熱装置には温度制御装置が接続されているのが好ましく、この温度制御装置により、外気及び浄化槽本体１内の汚水の温度を感知し、外気の温度変化にかかわらず、汚水温度を常に一定に保つように制御すると共に省電力をはかるのが好ましい。
【００２０】
又、放流管側から冷気が連続的に大量に流入しないように、放流管の末端部がトラップ構造になっているのが好ましい。
【００２１】
本発明の浄化槽においては、汚水流入管３から浄化槽本体１に汚水を注入し、浄化槽本体１内で汚水を生物化学的に処理し、処理された汚水を放流管４から放流するが、汚水が低温になり、活性汚泥の活動能力が低下し、処理能力が低下したときに、加熱装置５により放流管４内の空気を加熱する。
【００２２】
加熱された空気は、放流管４が勾配を有し、浄化槽本体１との接続部側が高くなっているので、浄化槽本体１内に移動し、浄化槽本体１内の汚水を加熱することができ、活性汚泥の活動能力が低下せず、処理能力が低下しない。
【００２３】
又、加熱された空気の動きは穏やかであり、放流管の末端から冷気が大量かつ連続的に流入することがなく、且つ浄化槽本体１の上壁開口部は断熱性蓋体でふたされているので浄化槽本体内の汚水を確実に保温、加熱することができる。
【図面の簡単な説明】
【００２４】
【図１】本発明の浄化槽の一例を示す模式図である。
【符号の説明】
【００２５】
１  浄化槽本体
２  断熱性蓋体
３  汚水流入管
４  放流管
５  加熱装置
【図１】
2005111405.tif 000003